(57)【要約】【課題】 紙幣の真偽をさらに正確に識別する紙幣鑑定装置を提供する。【解決手段】主に紙幣上の特殊なインクの鑑定に適用し、少なくともキャリア、少なくとも１個の光源エミッター、少なくとも１個の第一光源レシーバー、少なくとも１個の第二光源レシーバーを含む。紙幣は該キャリア上に載せられ、該キャリアの片側に設置する光源エミッターは少なくとも１個の鑑定光源を発射し該紙幣上に照射する。同じ側に設置する第一光源レシーバーは該紙幣上の特殊なインクが反射する第一影像を受取り、反対側に設置する第二光源レシーバーは該紙幣の特殊なインクを貫通し透射される第二影像を受取り、最後にプロセッサーは該第一影像及び該第二影像に基づき、紙幣の真偽を判断する。【選択図】  図１
0003128775.tif 000002
【実用新案登録請求の範囲】
【請求項１】
主に紙幣の特殊なインク鑑定に適用し、少なくともキャリア、少なくとも１個の光源エミッター、少なくとも１個の第一光源レシーバー、少なくとも１個の第二光源レシーバーを含み、
前記キャリアは該紙幣を載せ、
前記少なくとも１個の光源エミッターは該キャリアの片側に設置し、少なくとも１個の鑑定光源を発射し該紙幣に照射し、
前記少なくとも１個の第一光源レシーバーは該光源エミッターと該キャリアの同じ側に設置し、該紙幣の特殊なインクに反射された該鑑定光源の反射信号を受信し、
前記少なくとも１個の第二光源レシーバーは該光源エミッターと相対的に該キャリアの反対側に設置し、該紙幣上の特殊なインクを透射した該鑑定光源の透射信号を受信することを特徴とする紙幣鑑定装置。
【請求項２】
前記光源エミッターは紫外線ＬＥＤ或いは赤外線ＬＥＤであることを特徴とする請求項１記載の紙幣鑑定装置。
【請求項３】
前記第一光源レシーバーは赤外線光センサーであることを特徴とする請求項１記載の紙幣鑑定装置。
【請求項４】
前記赤外線光センサーはオプトトランジスターであることを特徴とする請求項３記載の紙幣鑑定装置。
【請求項５】
前記第二光源レシーバーは光センサーであることを特徴とする請求項１記載の紙幣鑑定装置。
【請求項６】
前記光センサーはオプトトランジスターであることを特徴とする請求項５記載の紙幣鑑定装置。
【請求項７】
前記鑑定光源は赤外線或いは紫外線であることを特徴とする請求項１記載の紙幣鑑定装置。
【請求項８】
前記反射信号は第一影像を形成することを特徴とする請求項１記載の紙幣鑑定装置。
【請求項９】
前記透射信号は第二影像を形成することを特徴とする請求項１記載の紙幣鑑定装置。
【請求項１０】
前記紙幣鑑定装置はさらに光源校正モジュールを接続し、受信した該反射信号の色彩及び該透射信号の色彩を校正することを特徴とする請求項１記載の紙幣鑑定装置。
【請求項１１】
前記光源校正モジュールは光源校正制御モジュールの制御を受けることを特徴とする請求項１０記載の紙幣鑑定装置。
【請求項１２】
前記光源校正制御モジュールはさらに少なくとも１個の校正パラメーターを含み、制御に用いることを特徴とする請求項１１記載の紙幣鑑定装置。
【請求項１３】
前記紙幣鑑定装置はさらに光源駆動モジュールを接続し、該光源エミッターを駆動し該鑑定光源を発射させることを特徴とする請求項１記載の紙幣鑑定装置。
【請求項１４】
主に紙幣の特殊なインク鑑定に適用し、該装置は少なくともキャリア、少なくとも１個の光源エミッター、少なくとも１個の光源エミッター、少なくとも１個の光源レシーバーを含み、
前記キャリアは該紙幣を載せ、
前記少なくとも１個の光源エミッターは該キャリアの片側に設置し、少なくとも１個の鑑定光源を発射し該紙幣に照射し、
前記少なくとも１個の光源レシーバーは該光源エミッターと相対的に該キャリアの反対側に設置し、該紙幣上の特殊なインクを透射した該鑑定光源の透射信号を受信することを特徴とする紙幣鑑定装置。
【請求項１５】
前記光源エミッターは紫外線ＬＥＤ或いは赤外線ＬＥＤであることを特徴とする請求項１４記載の紙幣鑑定装置。
【請求項１６】
前記光源レシーバーは光センサーであることを特徴とする請求項１４記載の紙幣鑑定装置。
【請求項１７】
前記光センサーはオプトトランジスターであることを特徴とする請求項１６記載の紙幣鑑定装置。
【請求項１８】
前記鑑定光源は赤外線或いは紫外線であることを特徴とする請求項１４記載の紙幣鑑定装置
【請求項１９】
前記透射信号は影像を形成することを特徴とする請求項１４記載の紙幣鑑定装置。
【請求項２０】
前記紙幣鑑定装置はさらに光源校正モジュールを接続し、受信した該透射信号の色彩を校正することを特徴とする請求項１４記載の紙幣鑑定装置。
【請求項２１】
前記光源校正モジュールは光源校正制御モジュールの制御を受けることを特徴とする請求項２０記載の紙幣鑑定装置。
【請求項２２】
前記光源校正制御モジュールはさらに少なくとも１個の校正パラメーターを含み、制御に用いることを特徴とする請求項２１記載の紙幣鑑定装置。
【請求項２３】
前記紙幣鑑定装置はさらに光源駆動モジュールを接続し、該光源エミッターを駆動し該鑑定光源を発射させることを特徴とする請求項１４記載の紙幣鑑定装置。
【請求項２４】
主に紙幣の特殊なインク鑑定に適用し、該装置は少なくともキャリア、少なくとも１個の光源エミッター、少なくとも１個の光源レシーバーを含み、
前記キャリアは該紙幣を載せ、
前記少なくとも１個の光源エミッターは該キャリアの片側に設置し、少なくとも１個の鑑定光源を発射し該紙幣に照射し、
前記少なくとも１個の光源レシーバーは該光源エミッターと該キャリアの同じ側に設置し、該紙幣の特殊なインクに反射された該鑑定光源の反射信号を受信することを特徴とする紙幣鑑定装置。
【請求項２５】
前記光源エミッターは紫外線ＬＥＤ或いは赤外線ＬＥＤであることを特徴とする請求項２４記載の紙幣鑑定装置。
【請求項２６】
前記光源レシーバーは光センサーであることを特徴とする請求項２４記載の紙幣鑑定装置。
【請求項２７】
前記光センサーはオプトトランジスターであることを特徴とする請求項２６記載の紙幣鑑定装置。
【請求項２８】
前記鑑定光源は赤外線或いは紫外線であることを特徴とする請求項２４記載の紙幣鑑定装置。
【請求項２９】
前記反射信号は影像を形成することを特徴とする請求項２４記載の紙幣鑑定装置。
【請求項３０】
前記紙幣鑑定装置はさらに光源校正モジュールを接続し、受信した該反射信号の色彩を校正することを特徴とする請求項２４記載の紙幣鑑定装置。
【請求項３１】
前記光源校正モジュールは光源校正制御モジュールの制御を受けることを特徴とする請求項３０記載の紙幣鑑定装置。
【請求項３２】
前記光源校正制御モジュールはさらに少なくとも１個の校正パラメーターを含み、制御に用いることを特徴とする請求項３１記載の紙幣鑑定装置。
【請求項３３】
前記紙幣鑑定装置はさらに光源駆動モジュールを接続し、該光源エミッターを駆動し該鑑定光源を発射させることを特徴とする請求項２４記載の紙幣鑑定装置。
【考案の詳細な説明】
【技術分野】
【０００１】
本考案は、一種の紙幣鑑定装置に関する。特に、一種の反射及び透射の影像を受取り紙幣の真偽を識別する紙幣鑑定装置に係る。
【背景技術】
【０００２】
現代人は科学技術の使用に長けているため、科学技術が犯罪の手段として利用される事態をも招いている。特に、科学技術の進歩に従い偽造紙幣製造の技術は高度に発達しており、外観上偽造紙幣と本物の紙幣とを見分けることはますます難しくなっている。さらに省力化のため、自動販売機、両替機、自動預入機或いは賭博設備等の商業機器により推進される商業行為では、偽造紙幣の氾濫が金融市場に影響を及ぼすまでになっており、商業機器を使用する業者に損失を与えている。
これに対して業者の利益を守るため、紙幣受取り機内部の識別能力を向上させ、紙幣上の異なる偽造防止の特徴に対応する各種鑑定装置が開発された。これらは例えば、２種或いは２種以上の異なる波長を紙幣に照射することで、高、低波形変化及び該高、低波形が生じる異なる振幅変化を感知し、さらに本物の紙幣データと相互に比較対照し、紙幣の真偽を正確に識別する効果を達成するもの等がある。
【特許文献１】特許第３６７８７４８号公報
【考案の開示】
【考案が解決しようとする課題】
【０００３】
上記公知技術は、効果的に紙幣の真偽識別の目的を達成することはできるが、なお不十分であり偽紙幣を見逃すことがあった。本考案の課題は、紙幣の真偽をさらに正確に識別し、完璧な紙幣鑑定装置を提供することにある。
【課題を解決するための手段】
【０００４】
上記課題を解決するため、それは主に紙幣鑑定装置を提供し、反射及び透射の影像を受取り紙幣の真偽を識別し、すなわちそれは少なくともキャリア、少なくとも１個の光源エミッター、少なくとも１個の第一光源レシーバー及び少なくとも１個の第二光源レシーバーを含み、該紙幣は該キャリア上に載せられ、該キャリアの片側に設置する該光源エミッターは少なくとも１個の鑑定光源を発射し該紙幣上に照射し、同じ側に設置する第一光源レシーバーは該紙幣上の特殊なインクが反射する第一影像を受取り、或いは反対側に設置する第二光源レシーバーは紙幣上の特殊なインクを貫通し透射される第二影像を受取り、最後にプロセッサーは計算を経て該第一或いは該第二影像の真偽を識別し、さらにその紙幣識別システムは紙幣受取り装置に適用し、紙幣上の特殊なインクの真偽を識別し、しかも紙幣受取り装置主体を具え、紙幣受け取りの基本機能を提供し、同時に該紙幣識別システムは該紙幣受取り装置内に設置し、該システムは少なくとも１個の光源駆動モジュール、紙幣鑑定装置、少なくとも１個の光源校正モジュール、少なくとも１個の光源校正制御モジュール、少なくとも１個の光源電圧転換モジュール、少なくとも１個の電圧デジタル転換制御モジュール及びプロセッサーを含み、該光源駆動モジュールは駆動電圧を提供し、これにより該紙幣鑑定装置は該第一影像或いは該第二影像を鑑定可能で、該光源校正モジュールは校正パラメーターに基づき該第一影像或いは該第二影像の色彩を校正し、該光源電圧転換モジュールは既に校正された第一或いは第二影像を電圧モードに転換し、該電圧デジタル転換制御モジュールは該電圧モードをデジタルモードに転換し、該プロセッサーは該第一或いは該第二影像転換後のデジタルモードを受取り、計算を経て該紙幣上の特殊なインクの真偽を識別することを特徴とする紙幣鑑定装置である。
【０００５】
すなわち、請求項１の考案は、主に紙幣の特殊なインク鑑定に適用し、少なくともキャリア、少なくとも１個の光源エミッター、少なくとも１個の第一光源レシーバー、少なくとも１個の第二光源レシーバーを含み、前記キャリアは該紙幣を載せ、前記少なくとも１個の光源エミッターは該キャリアの片側に設置し、少なくとも１個の鑑定光源を発射し該紙幣に照射し、前記少なくとも１個の第一光源レシーバーは該光源エミッターと該キャリアの同じ側に設置し、該紙幣の特殊なインクに反射された該鑑定光源の反射信号を受信し、前記少なくとも１個の第二光源レシーバーは該光源エミッターと相対的に該キャリアの反対側に設置し、該紙幣上の特殊なインクを透射した該鑑定光源の透射信号を受信することを特徴とする紙幣鑑定装置である。
【０００６】
請求項２の考案は、前記光源エミッターは紫外線ＬＥＤ或いは赤外線ＬＥＤであることを特徴とする請求項１記載の紙幣鑑定装置である。
請求項３の考案は、前記第一光源レシーバーは赤外線光センサーであることを特徴とする請求項１記載の紙幣鑑定装置である。
請求項４の考案は、前記赤外線光センサーはオプトトランジスターであることを特徴とする請求項３記載の紙幣鑑定装置である。
請求項５の考案は、前記第二光源レシーバーは光センサーであることを特徴とする請求項１記載の紙幣鑑定装置である。
請求項６の考案は、前記光センサーはオプトトランジスターであることを特徴とする請求項５記載の紙幣鑑定装置である。
請求項７の考案は、前記鑑定光源は赤外線或いは紫外線であることを特徴とする請求項１記載の紙幣鑑定装置である。
請求項８の考案は、前記反射信号は第一影像を形成することを特徴とする請求項１記載の紙幣鑑定装置である。
請求項９の考案は、前記透射信号は第二影像を形成することを特徴とする請求項１記載の紙幣鑑定装置である。
請求項１０の考案は、前記紙幣鑑定装置はさらに光源校正モジュールを接続し、受信した該反射信号の色彩及び該透射信号の色彩を校正することを特徴とする請求項１記載の紙幣鑑定装置である。
請求項１１の考案は、前記光源校正モジュールは光源校正制御モジュールの制御を受けることを特徴とする請求項１０記載の紙幣鑑定装置である。
請求項１２の考案は、前記光源校正制御モジュールはさらに少なくとも１個の校正パラメーターを含み、制御に用いることを特徴とする請求項１１記載の紙幣鑑定装置である。
請求項１３の考案は、前記紙幣鑑定装置はさらに光源駆動モジュールを接続し、該光源エミッターを駆動し該鑑定光源を発射させることを特徴とする請求項１記載の紙幣鑑定装置である。
【０００７】
請求項１４の考案は、主に紙幣の特殊なインク鑑定に適用し、該装置は少なくともキャリア、少なくとも１個の光源エミッター、少なくとも１個の光源エミッター、少なくとも１個の光源レシーバーを含み、前記キャリアは該紙幣を載せ、前記少なくとも１個の光源エミッターは該キャリアの片側に設置し、少なくとも１個の鑑定光源を発射し該紙幣に照射し、前記少なくとも１個の光源レシーバーは該光源エミッターと相対的に該キャリアの反対側に設置し、該紙幣上の特殊なインクを透射した該鑑定光源の透射信号を受信することを特徴とする紙幣鑑定装置である。
【０００８】
請求項１５の考案は、前記光源エミッターは紫外線ＬＥＤ或いは赤外線ＬＥＤであることを特徴とする請求項１４記載の紙幣鑑定装置である。
請求項１６の考案は、前記光源レシーバーは光センサーであることを特徴とする請求項１４記載の紙幣鑑定装置である。
請求項１７の考案は、前記光センサーはオプトトランジスターであることを特徴とする請求項１６記載の紙幣鑑定装置である。
請求項１８の考案は、前記鑑定光源は赤外線或いは紫外線であることを特徴とする請求項１４記載の紙幣鑑定装置である
請求項１９の考案は、前記透射信号は影像を形成することを特徴とする請求項１４記載の紙幣鑑定装置である。
請求項２０の考案は、前記紙幣鑑定装置はさらに光源校正モジュールを接続し、受信した該透射信号の色彩を校正することを特徴とする請求項１４記載の紙幣鑑定装置である。
請求項２１の考案は、前記光源校正モジュールは光源校正制御モジュールの制御を受けることを特徴とする請求項２０記載の紙幣鑑定装置である。
請求項２２の考案は、前記光源校正制御モジュールはさらに少なくとも１個の校正パラメーターを含み、制御に用いることを特徴とする請求項２１記載の紙幣鑑定装置である。
請求項２３の考案は、前記紙幣鑑定装置はさらに光源駆動モジュールを接続し、該光源エミッターを駆動し該鑑定光源を発射させることを特徴とする請求項１４記載の紙幣鑑定装置である。
【０００９】
請求項２４の考案は、主に紙幣の特殊なインク鑑定に適用し、該装置は少なくともキャリア、少なくとも１個の光源エミッター、少なくとも１個の光源レシーバーを含み、前記キャリアは該紙幣を載せ、前記少なくとも１個の光源エミッターは該キャリアの片側に設置し、少なくとも１個の鑑定光源を発射し該紙幣に照射し、前記少なくとも１個の光源レシーバーは該光源エミッターと該キャリアの同じ側に設置し、該紙幣の特殊なインクに反射された該鑑定光源の反射信号を受信することを特徴とする紙幣鑑定装置である。
【００１０】
請求項２５の考案は、前記光源エミッターは紫外線ＬＥＤ或いは赤外線ＬＥＤであることを特徴とする請求項２４記載の紙幣鑑定装置である。
請求項２６の考案は、前記光源レシーバーは光センサーであることを特徴とする請求項２４記載の紙幣鑑定装置である。
請求項２７の考案は、前記光センサーはオプトトランジスターであることを特徴とする請求項２６記載の紙幣鑑定装置である。
請求項２８の考案は、前記鑑定光源は赤外線或いは紫外線であることを特徴とする請求項２４記載の紙幣鑑定装置である。
請求項２９の考案は、前記反射信号は影像を形成することを特徴とする請求項２４記載の紙幣鑑定装置である。
請求項３０の考案は、前記紙幣鑑定装置はさらに光源校正モジュールを接続し、受信した該反射信号の色彩を校正することを特徴とする請求項２４記載の紙幣鑑定装置である。
請求項３１の考案は、前記光源校正モジュールは光源校正制御モジュールの制御を受けることを特徴とする請求項３０記載の紙幣鑑定装置である。
請求項３２の考案は、前記光源校正制御モジュールはさらに少なくとも１個の校正パラメーターを含み、制御に用いることを特徴とする請求項３１記載の紙幣鑑定装置である。
請求項３３の考案は、前記紙幣鑑定装置はさらに光源駆動モジュールを接続し、該光源エミッターを駆動し該鑑定光源を発射させることを特徴とする請求項２４記載の紙幣鑑定装置である。
【考案の効果】
【００１１】
本考案の紙幣鑑定装置によれば、反射及び透射を経て、特殊なインクの影像を鑑定し紙幣の真偽を識別することができる。
【考案を実施するための最良の形態】
【００１２】
本考案の紙幣鑑定装置及び紙幣識別システムの好適な実施例を図面を参照して説明する。
図１は、本考案の実施例の紙幣鑑定装置のブロックチャートであるが、紙幣鑑定装置10は紙幣の特殊なインクの鑑定に適用する。該装置は少なくともキャリア11、少なくとも１個の光源エミッター12、少なくとも１個の第一光源レシーバー13、少なくとも１個の第二光源レシーバー14を含む。
該キャリア11は紙幣111を載せ、該光源エミッター12は該キャリア11の片側に設置し、少なくとも１個の鑑定光源121を発射し該紙幣111上に照射する。
前記第一光源レシーバー13と該光源エミッター12は該キャリア11の同じ側に設置され、該紙幣111の特殊なインクが反射する鑑定光源の反射信号122を受信する。
前記第二光源レシーバー14と該光源エミッター12は該キャリア11の反対側において相対的に設置され、該紙幣111上の特殊なインクを透射した鑑定光源の透射信号123を受信する。
【００１３】
次に、本考案の最適実施例の紙幣鑑定装置のブロックチャートである図２に示すように、該紙幣鑑定装置10はキャリア11、紫外線ＬＥＤ21、赤外線ＬＥＤ22及びオプトトランジスター23、24を含む。
前記キャリア11は紙幣111を載せ、該赤外線ＬＥＤ22と該オプトトランジスター23は該キャリア11の同じ側に設置される。該赤外線ＬＥＤ22は赤外線鑑定光源221を発射し該紙幣111上に照射し、該オプトトランジスター23は該紙幣111の特殊なインクが反射する赤外線鑑定光源の第一影像222を受取る。
前記紫外線ＬＥＤ21と該オプトトランジスター24は該キャリア11の異なる側に相対的に設置される。該紫外線ＬＥＤ21は紫外線鑑定光源211を発射し該紙幣111上に照射し、該オプトトランジスター24は該紙幣111上の特殊なインクを透射した紫外線鑑定光源の第二影像212を受取る。
【００１４】
本考案の最適の実施例の紙幣鑑定装置の実体断面図である図３に示すように、該キャリア11中には通道31を形成し紙幣を通過させる。紙幣が通道31に入ると、ＬＥＤ32及び光センサー33は紙幣が該通道31に進入し発する制御信号を感知し、紙幣鑑定装置を起動する。紙幣が該通道31に進入後、それぞれキャリア両側に設置する紫外線ＬＥＤ21及びオプトトランジスター24は紙幣上の特殊なインクを透射した第二影像を鑑定する。さらに一体に設置される赤外線ＬＥＤ及びオプトトランジスター34により紙幣上の特殊なインクが反射する第一影像を鑑定する。
【００１５】
さらに、本考案の最適実施例の紙幣受取り装置の実体断面図である図４に示すように、紙幣受取り装置40はケース（図示なし）、紙幣鑑定装置10、紙幣コンベアー部41及び紙幣保存部42を含む。
紙幣は該紙幣コンベアー部41により運搬され該紙幣鑑定装置10を通過し真偽を鑑定された後、続いて該紙幣コンベアー部41は紙幣を該紙幣保存部42に運び保存する。
また、図３中で一体に設置される赤外線ＬＥＤ及びオプトトランジスター34の実体立体図である図５に示すように、該赤外線ＬＥＤ22及び該オプトトランジスター23はそれぞれ台座51の各区画中に設置され、赤外線鑑定光源を発射し反射信号を受信する一体に設置される赤外線ＬＥＤ及びオプトトランジスター34の構成部品を形成する。
【００１６】
上記図１、２、３、４、５中の光源エミッター12は、紫外線ＬＥＤ21或いは赤外線ＬＥＤ22或いは二者の併用が最適である。
前記第一光源レシーバー13は赤外線光センサーが最適で、一般の赤外線光センサーはオプトトランジスター23が最適で、また、純粋にオプトトランジスター24で代用することができる。
前記第二光源レシーバー14は光センサーが最適で、一般の光センサーはオプトトランジスター24が最適で、また赤外線光センサーで代用することができる。
前記鑑定光源121は、前記紫外線ＬＥＤ21が発射するなら紫外線鑑定光源211で、該赤外線ＬＥＤ22が発射するなら赤外線鑑定光源221となる。前記反射信号122は第一影像222形成が最適で、また反射光或いは反射の色彩とすることができる。前記透射信号123は第二影像212形成が最適で、また透射光或いは透射の色彩とすることができる。
しかも、前記紙幣鑑定装置10は、さらに光源校正モジュールを接続することができる。該光源校正モジュールは受信した反射信号122及び透射信号123の色彩、影像或いは光線を校正し、該光源校正モジュールは該光源校正制御モジュールが提供する少なくとも１個の校正パラメーターの制御を受ける。また、該紙幣鑑定装置10はさらに光源駆動モジュールを接続し、該光源エミッター12が発出する鑑定光源121を駆動する。
【００１７】
本考案の実施例の紙幣識別システムのブロックチャートである図６に示すように、紙幣識別システム60は紙幣受取り装置6に適用し、紙幣上の特殊なインクの真偽を識別する。該紙幣受取り装置6は紙幣受取り装置主体を具え、紙幣受け取りの基本機能を提供し、同時に該紙幣識別システム60は該紙幣受取り装置6内に設置する。
このシステムは少なくとも１個の光源駆動モジュール61、紙幣鑑定装置10、少なくとも１個の光源校正モジュール62、少なくとも１個の光源校正制御モジュール63、少なくとも１個の光源電圧転換モジュール64、少なくとも１個の電圧デジタル転換モジュール65及びプロセッサー66を含む。
前記光源駆動モジュール61は駆動電圧を提供し、これにより該紙幣鑑定装置10は紙幣を鑑定し、反射信号及び透射信号を得る。該光源校正モジュール62は該光源校正制御モジュール63により少なくとも１個の校正パラメーターを提供し、反射信号及び透射信号の色彩を校正する。
前記光源電圧転換モジュール64は、既に校正された反射信号及び透射信号転換を電圧モードに転換する。
前記電圧デジタル転換制御モジュール65は該電圧モードをデジタルモードに転換する。
前記プロセッサー66は反射信号及び透射信号転換後のデジタルモードを受け取り、計算を経て紙幣上の特殊なインクの真偽を識別する。
別に紙幣鑑定装置10は、図１に示すように、キャリア11、少なくとも１個の光源エミッター12、少なくとも１個の第一光源レシーバー13及び少なくとも１個の第二光源レシーバー14を含み、鑑定光源121により反射信号122及び透射信号123を鑑定する。
【００１８】
図６が示す最適実施例の光源エミッターの関連回路図である図７に示すように、回路70は光源駆動モジュール61、少なくとも１個の光源エミッター12及び電圧制御モジュール71を含む。
該電圧制御モジュール71は制御信号72を受信し、電圧信号73を該光源駆動モジュール61に送信する。該光源駆動モジュール61は該電圧信号73を受信後、駆動電圧74を発信し、該光源エミッター12を起動し、鑑定光源75を発射する。
【００１９】
図６が示す最適実施例の光源レシーバーの関連回路図である図８に示すように、回路80は少なくとも１個の光源レシーバー13及び14、少なくとも１個の光源校正モジュール62、少なくとも１個の光源校正制御モジュール63、少なくとも１個の光源電圧転換モジュール64、少なくとも１個の電圧デジタル転換モジュール65及びプロセッサー66を含む。
該光源レシーバー13及び14は反射信号81或いは透射信号82を受信後、先ず該光源校正制御モジュール63により少なくとも１個の校正パラメーター83を該光源校正モジュール62に提供し、反射信号81或いは透射信号82の色彩を校正する。該光源電圧転換モジュール64は既に校正された反射信号81或いは透射信号82を電圧モード84に転換し、該電圧デジタル転換制御モジュール65は該電圧モード84をデジタルモード85に転換する。該プロセッサー66は反射信号81或いは透射信号82転換後のデジタルモード85を受取り、計算を経て紙幣上の特殊なインクの真偽を識別する。
【００２０】
本考案の最適実施例の光源校正フローチャートである図９に示すように、該プロセスは以下のS91からS95のステップからなる。
ステップS91：光源エミッター高低境界の等級を設定する。
ステップS92：設定した光源エミッター高低境界等級を光源レシーバーが受取り可能かどうかを判断する。
イエスならステップS93に進む。ノーならステップS94に進む。
ステップS93：光源エミッター高低境界等級より計算された数を保存する。
ステップS94：光源レシーバーの問題があるとし、受け取り不可等の表示をする。
ステップS95：光源エミッターを該当する該数に調整し、光源レシーバーが受取り可能な範囲かどうかを判断する。イエスなら、光源校正プロセスを終了する。
ノーなら、ステップS91に進む。
【００２１】
上記図６、７、８、９に示す光源エミッター12は紫外線ＬＥＤ21或いは赤外線ＬＥＤ22或いは二者の併用が最適である。
該第一光源レシーバー13は赤外線光センサーが最適で、一般の赤外線光センサーはオプトトランジスター23が最適で、また純粋にオプトトランジスター24で代用することができる。
前記第二光源レシーバー14は光センサーが最適で、一般の光センサーはオプトトランジスター24が最適で、また赤外線光センサーで代用することができる。
前記鑑定光源121は該紫外線ＬＥＤ21が発する紫外線の鑑定光源75で、または該赤外線ＬＥＤ22が発する赤外線の鑑定光源75である。
前記反射信号81は影像信号形成が最適で、また反射光或いは反射の色彩とすることができる。
前記透射信号82は影像信号形成が最適で、また透射光或いは透射の色彩とすることができる。
前記プロセッサー66はマイクロプロセッサーが最適である。
しかも該紙幣識別システム60はさらに紙幣特徴データベースを含み、該紙幣受取り装置6内に設置し、紙幣の特殊なインクの特徴を提供し、これによりプロセッサー66は真偽を識別する。
前記プロセッサー66は計算を経て反射信号81及び透射信号82の色彩、影像或いは光線の真偽を識別する。
【００２２】
本考案の紙幣鑑定装置のブロックチャートである図１０に示すように、紙幣鑑定装置A0は紙幣の特殊なインクの鑑定に適用する。該装置は少なくともキャリアA1、少なくとも１個の光源エミッターA2及び少なくとも１個の光源レシーバーA3を含む。
前記キャリアA1は紙幣A11を載せる。
前記光源エミッターA2は該キャリアA1の片側に設置し、少なくとも１個の鑑定光源A21を発射し該紙幣A11上に照射する。
前記光源レシーバーA3と該光源エミッターA2は該キャリアA1の反対側に相対的に設置し、該紙幣A11上の特殊なインクを透射した鑑定光源の透射信号A23を受信する。
【００２３】
本考案の最適実施例の紙幣鑑定装置のブロックチャートである図１１に示すように、紙幣鑑定装置A0はキャリアA1、紫外線ＬＥＤA31及びオプトトランジスターA32を含む。
前記キャリアA1は紙幣A11を載せる。
前記紫外線ＬＥＤA31と前記オプトトランジスターA32は前記キャリアA1の異なる側に相対的に設置し、該紫外線ＬＥＤA31は紫外線鑑定光源A311を発射し該紙幣A11上に照射する。
前記オプトトランジスターA32は該紙幣A11上の特殊なインクを透射した紫外線鑑定光源の影像A312を受取る。
【００２４】
上記図１０、１１中の光源エミッターA2は、紫外線ＬＥＤA31或いは赤外線ＬＥＤ或いは二者の併用が最適である。
前記光源レシーバーA3は光センサーが最適で、一般の光センサーはオプトトランジスターA32が最適である。
前記鑑定光源A21は紫外線ＬＥＤA31により紫外線鑑定光源A311を発射し、または赤外線ＬＥＤにより赤外線鑑定光源を発射する。
該透射信号A23は影像A312の形成が最適で、また透射光或いは透射の色彩とすることができる。
しかも、前記紙幣鑑定装置A0はさらに光源校正モジュールを接続することができ、受信した透射信号A23の色彩、影像或いは光線を校正する。
前記光源校正モジュールは該光源校正制御モジュールが提供する少なくとも１個の校正パラメーターの制御を受ける。また、前記紙幣鑑定装置A0はさらに光源駆動モジュールを接続し、前記光源エミッターA2を駆動し鑑定光源A21を発射させる。
【００２５】
本考案の紙幣鑑定装置のブロックチャートである図１２に示すように、紙幣鑑定装置B0は紙幣の特殊なインクの鑑定に適用する。該装置は少なくともキャリアB1、少なくとも１個の光源エミッターB2及び少なくとも１個の光源レシーバーB3を含む。
前記キャリアB1は紙幣B11を載せる。
前記光源エミッターB2は該キャリアB1の片側に設置し、少なくとも１個の鑑定光源B21を発射し該紙幣B11上に照射する。
前記光源レシーバーB3と該光源エミッターB2は該キャリアB1の同じ側に設置し、該紙幣B11の特殊なインクにより反射された鑑定光源の反射信号B22を受信する。
【００２６】
本考案の最適実施例の紙幣鑑定装置のブロックチャートである図１３に示すように、紙幣鑑定装置B0はキャリアB1、赤外線ＬＥＤB31及びオプトトランジスターB32を含む。
前記キャリアB1は紙幣B11を載せる。
前記赤外線ＬＥＤB31と該オプトトランジスターB32は該キャリアB1の同じ側に設置し、該赤外線ＬＥＤB31は赤外線鑑定光源B311を発射し該紙幣B11上に照射し、該オプトトランジスターB32は該紙幣B11の特殊なインクに反射された赤外線鑑定光源の影像B312を受取る。
【００２７】
図１２、１３中の光源エミッターB2は赤外線ＬＥＤB31或いは紫外線ＬＥＤ或いは二者併用が最適である。
前記光源レシーバーB3は光センサーが最適で、一般の光センサーはオプトトランジスターA32が最適である。
前記鑑定光源B11は赤外線ＬＥＤB31により赤外線鑑定光源B311を発射し、または紫外線ＬＥＤにより紫外線鑑定光源を発射する。
前記反射信号B22は影像B312の形成が最適で、また反射光或いは反射の色彩とすることができる。
しかも、前記紙幣鑑定装置B0はさらに光源校正モジュールを接続することができ、受信した反射信号B22の色彩、影像或いは光線を校正する。
該光源校正モジュールは該光源校正制御モジュールが提供する少なくとも１個の校正パラメーターの制御を受ける。
また、該紙幣鑑定装置B0はさらに光源駆動モジュールを接続し、該光源エミッターB2が発射する鑑定光源B11を受取る。
なお、本考案の特徴を損なうものでなければ、上記実施例に限定されるものではないことは勿論である。
【図面の簡単な説明】
【００２８】
【図１】本考案紙幣鑑定装置のブロックチャートである。
【図２】本考案最適実施例の紙幣鑑定装置のブロックチャートである。
【図３】本考案最適実施例の紙幣鑑定装置の実体断面図である。
【図４】本考案最適実施例の紙幣受取り装置の実体断面図である。
【図５】図３において一体に設置する赤外線ＬＥＤ及びＬＥＤ型赤外線光センサーの実体立体図である。
【図６】本考案の紙幣識別システムのブロックチャートである。
【図７】図６が示す最適実施例の光源エミッターの関連回路図である。
【図８】図が示す最適実施例の光源レシーバーの関連回路図である。
【図９】本考案最適実施例の光源校正フローチャートである。
【図１０】本考案別種の紙幣鑑定装置のブロックチャートである。
【図１１】本考案最適実施例の別種の紙幣鑑定装置のブロックチャートである。
【図１２】本考案さらに別種の紙幣鑑定装置のブロックチャートである。
【図１３】本考案最適実施例のさらに別種の紙幣鑑定装置のブロックチャートである。
【符号の説明】
【００２９】
10 紙幣鑑定装置
11 キャリア
111 紙幣
12 光源エミッター
121 鑑定光源
122 反射信号
123 透射信号
13 第一光源レシーバー
14 第二光源レシーバー
21 紫外線ＬＥＤ
211 紫外線鑑定光源
212 第二影像
22 赤外線ＬＥＤ
221 赤外線鑑定光源
222 第一影像
23 オプトトランジスター
24 オプトトランジスター
31 通道
32 ＬＥＤ
33 光センサー
34 一体に設置される赤外線ＬＥＤ及びオプトトランジスター
40 紙幣受取り装置
41 紙幣コンベアー部
42 紙幣保存部
51 台座
6 紙幣受取り装置
60 紙幣識別システム
61 光源駆動モジュール
62 光源校正モジュール
63 光源校正制御モジュール
64 光源電圧転換モジュール
65 電圧デジタル転換モジュール
66 プロセッサー
70 回路
71 電圧制御モジュール
72 制御信号
73 電圧信号
74 駆動電圧
75 鑑定光源
80 回路
81 反射信号
82 透射信号
83 校正パラメーター
84 電圧モード
85 デジタルモード
S91〜S95 プロセスステップ
A0 紙幣鑑定装置
A1 キャリア
A11 紙幣
A2 光源エミッター
A21 鑑定光源
A23 透射信号
A3 光源レシーバー
A31 紫外線ＬＥＤ
A311 紫外線鑑定光源
A312 影像
A32 オプトトランジスター
B0 紙幣鑑定装置
B1 キャリア
B11 紙幣
B2 光源エミッター
B21 鑑定光源
B22 反射信号
B3 光源レシーバー
B31 赤外線ＬＥＤ
B311 赤外線鑑定光源
B312 影像
B32 オプトトランジスター
【図１】
0003128775.tif 000003
【図２】
0003128775.tif 000004
【図３】
0003128775.tif 000005
【図４】
0003128775.tif 000006
【図５】
0003128775.tif 000007
【図６】
0003128775.tif 000008
【図７】
0003128775.tif 000009
【図８】
0003128775.tif 000010
【図９】
0003128775.tif 000011
【図１０】
0003128775.tif 000012
【図１１】
0003128775.tif 000013
【図１２】
0003128775.tif 000014
【図１３】
0003128775.tif 000015